(57)【要約】  【課題】  自電話機に一番近いＩＰ電話機を転送先として設定することのできるＩＰ電話機を提供する。  【解決手段】  制御回路１１は、予め設定した時刻から本ＩＰ電話機１０のＩＰアドレスの下位のアドレスに基づいて設定される時間が経過した時点に、ＩＰアドレスデータをＤＴＭＦセンダ１５へ供給し、スピーカ１７からＩＰアドレスに対応するＤＴＭＦ信号音を出力させる。他の複数のＩＰ電話機からそれぞれ異なる時刻に送出されるＤＴＭＦ信号音をマイク１８で受信し、ＤＴＭＦレシーバ１９によって他のＩＰ電話機のＩＰアドレスおよびその受信レベルを検出する。制御回路１１は、ＩＰアドレスとその受信レベルとを対応付けてメモリ１３に記憶させ、受信レベルが最大のＩＰアドレスを転送先ＩＰアドレスとして設定する。【選択図】  図１
2006245819.tif 000002
【特許請求の範囲】
【請求項１】
自電話機のＩＰアドレスを参照して設定される時刻に、自電話機のＩＰアドレスに対応した所定レベルの可聴音信号を送出する可聴音信号送出手段と、
他の複数のＩＰ電話機からそれぞれ異なる時刻に送出される他のＩＰ電話機のＩＰアドレスに対応した可聴音信号を受信し、他のＩＰ電話機のＩＰアドレスとその受信レベルを対応付けて記憶する可聴音信号受信手段と、
前記受信レベルが最大のＩＰアドレスを転送先ＩＰアドレスとして設定する転送先アドレス設定手段と、
着信に応答できない場合に前記転送先ＩＰアドレスへ着信を転送する着信転送手段と、
を有することを特徴とするＩＰ電話機。
【請求項２】
前記可聴音信号送出手段は、予め設定した時刻からＩＰアドレスの下位のアドレスに基づいて設定される時間が経過した時点に、前記可聴音信号を送出することを特徴とする請求項１記載のＩＰ電話機。
【請求項３】
前記可聴音信号は、ＤＴＭＦ信号であることを特徴とする請求項１記載のＩＰ電話機。
【請求項４】
前記可聴音信号送出手段は、ＩＰアドレスに対応したＤＴＭＦ信号を生成するＤＴＭＦセンダと、ＤＴＭＦ信号音を発生するスピーカとを有することを特徴とする請求項３記載のＩＰ電話機。
【請求項５】
前記可聴音信号受信手段は、マイクと、前記マイクで検出したＤＴＭＦ信号の受信レベルを検出するとともにＤＴＭＦデータを出力するＤＴＭＦレシーバとを有することを特徴とする請求項３記載のＩＰ電話機。
【請求項６】
自電話機のＩＰアドレスを参照して設定される時刻に、自電話機のＩＰアドレスに対応した所定レベルの無線信号を送信する無線信号送信手段と、
他の複数のＩＰ電話機からそれぞれ異なる時刻に送信される他のＩＰ電話機のＩＰアドレスに対応した無線信号を受信し、他のＩＰ電話機のＩＰアドレスとその受信レベルを対応付けて記憶する無線信号受信手段と、
前記受信レベルが最大のＩＰアドレスを転送先ＩＰアドレスとして設定する転送先アドレス設定手段と、
着信に応答できない場合に前記転送先ＩＰアドレスへ着信を転送する着信転送手段と、
を有することを特徴とするＩＰ電話機。
【請求項７】
前記無線信号送信手段は、予め設定した時刻からＩＰアドレスの下位のアドレスに基づいて設定される時間が経過した時点に、前記無線信号を送出することを特徴とする請求項６記載のＩＰ電話機。
【発明の詳細な説明】
【技術分野】
【０００１】
本発明は、転送機能を有するＩＰ電話機に係り、詳しくは、自電話機の近くにあるＩＰ電話機を転送先として設定するＩＰ電話機に関する。
【背景技術】
【０００２】
内線端末が話中のときに、その内線端末に一番近い内線端末へ転送できるようにしたボタン電話装置および話中転送方法が提案されている。図５に示すように、従来のボタン電話装置は、主装置１０１と、この主装置１０１に内線を介して接続された各内線端末１１０，１１１，１１２，１１３とから構成されている。主装置１０１は、内線インタフェース回路１０２、時分割スイッチ１０３、ＤＴＭＦセンダ１０４、ＤＴＭＦレシーバ１０５、制御回路１０６、メモリ１０７および時計回路１０８を備えている。各内線端末１１０，１１１，１１２，１１３は、スピーカ１２０，１２１，１２２，１２３およびマイク１３０，１３１，１３２，１３３をそれぞれ備えている。
【０００３】
制御回路１０６は、時計回路１０８の時刻を常時監視しており、予め設定した時刻になるとトレーニングモードになる。このトレーニングモードにおいて制御回路１０６は、ＤＴＭＦセンダ１０４から任意のＤＴＭＦ信号を発生させ、時分割スイッチ１０３および内線端末インタフェース回路１０２を介して内線端末１１０のスピーカ１２０からＤＴＭＦ信号音を出力させる。ＤＴＭＦ音を出力させている状態で、制御回路１０６は、時分割スイッチ１０３を制御し、内線端末１１１とＤＴＭＦレシーバ１０５とを接続させ、内線端末１１１のマイク１３１で受信したＤＴＭＦ音の受信レベルをＤＴＭＦレシーバ１０５によって測定させ、その測定値を取得する。次に、制御回路１０６は、同様のことを各内線端末１１２，１１３についても順次行う。ここで、内線端末１１０から距離が近い内線端末の受信レベルは高く、距離が遠い内線端末の受信レベルは低くなる。制御回路１０６は、受信レベルの大きい順に内線番号を並べ替えて、メモリ１０７に内線端末１１０と各端末間の距離表として蓄積しておく。ＤＴＭＦ音を出力する内線端末を順次切り替えて、他の内線端末での受信レベルをそれぞれ測定することで、全ての内線端末について距離表を作成しておく。
【０００４】
そして、内線端末１１０が通話状態にあるときにその内線端末１１０に着信があると、制御回路１０６は内線端末１１０と各端末間の距離表を参照して、内線端末１１０に一番近い内線端末を呼び出す。（特許文献１参照）
【特許文献１】特開２００２−１５８７７２号公報
【発明の開示】
【発明が解決しようとする課題】
【０００５】
上記従来のボタン電話装置は、主装置側から各内線端末の動作状態を制御することで、ＤＴＭＦ音を出力する内線端末の切り替えおよびＤＴＭＦ音の受信レベルを測定する内線端末の切り替えを行うことでき、これにより全ての内線端末について距離表を作成することができた。
【０００６】
しかしながら、各電話機がそれぞれ自立して動作しているＩＰ電話機に従来の技術を適用することはできない。
【０００７】
本発明は上記事情を鑑みてなされたもので、自電話機の近くにある他のＩＰ電話機へ転送を行うことができるＩＰ電話機を提供することを目的とする。
【課題を解決するための手段】
【０００８】
本発明に係るＩＰ電話機は、自電話機のＩＰアドレスを参照して設定される時刻に、自電話機のＩＰアドレスに対応した所定レベルの可聴音信号を送出する可聴音信号送出手段と、他の複数のＩＰ電話機からそれぞれ異なる時刻に送出される他のＩＰ電話機のＩＰアドレスに対応した可聴音信号を受信し、他のＩＰ電話機のＩＰアドレスとその受信レベルを対応付けて記憶する可聴音信号受信手段と、前記受信レベルが最大のＩＰアドレスを転送先ＩＰアドレスとして設定する転送先アドレス設定手段と、着信に応答できない場合に前記転送先ＩＰアドレスへ着信を転送する着信転送手段と、を有する。
【０００９】
上記の構成によれば、自電話機に一番近いＩＰ電話機を転送先として設定し、自電話機の着信に応答できない場合には設定したＩＰ電話機へ転送することができる。
【００１０】
また、上記のＩＰ電話機であって、前記可聴音信号送出手段は、予め設定した時刻からＩＰアドレスの下位のアドレスに基づいて設定される時間が経過した時点に、前記可聴音信号を送出する。
【００１１】
これにより、ＩＰ電話機毎に可聴音信号の送出時刻をずらすことができる。
【００１２】
また、上記のＩＰ電話機であって、前記可聴音信号は、ＤＴＭＦ信号である。
【００１３】
これにより、ＤＴＭＦ信号によってＩＰアドレスの送受信がなされる。
【００１４】
また、上記のＩＰ電話機であって、前記可聴音信号送出手段は、ＩＰアドレスに対応したＤＴＭＦ信号を生成するＤＴＭＦセンダと、ＤＴＭＦ信号音を発生するスピーカとを有する。
【００１５】
これにより、ＩＰアドレスに対応したＤＴＭＦ信号音を発生することができる。
【００１６】
また、上記のＩＰ電話機であって、前記可聴音信号受信手段は、マイクと、前記マイクで検出したＤＴＭＦ信号の受信レベルを検出するとともにＤＴＭＦデータを出力するＤＴＭＦレシーバとを有する。
【００１７】
これにより、ＩＰアドレスに対応したＤＴＭＦ信号音を受信できる。
【００１８】
本発明に係るＩＰ電話機は、自電話機のＩＰアドレスを参照して設定される時刻に、自電話機のＩＰアドレスに対応した所定レベルの無線信号を送信する無線信号送信手段と、他の複数のＩＰ電話機からそれぞれ異なる時刻に送信される他のＩＰ電話機のＩＰアドレスに対応した無線信号を受信し、他のＩＰ電話機のＩＰアドレスとその受信レベルを対応付けて記憶する無線信号受信手段と、前記受信レベルが最大のＩＰアドレスを転送先ＩＰアドレスとして設定する転送先アドレス設定手段と、着信に応答できない場合に前記転送先ＩＰアドレスへ着信を転送する着信転送手段と、を有する。
【００１９】
上記の構成によれば、自電話機に一番近いＩＰ電話機を転送先として設定し、自電話機の着信に応答できない場合には設定したＩＰ電話機へ転送することができる。
【００２０】
また、上記のＩＰ電話機であって、前記無線信号送信手段は、予め設定した時刻からＩＰアドレスの下位のアドレスに基づいて設定される時間が経過した時点に、前記無線信号を送出する。
【００２１】
これにより、ＩＰ電話機毎に無線信号の送信時刻をずらすことができる。
【発明の効果】
【００２２】
本発明によれば、自電話機に一番近いＩＰ電話機を転送先として設定し、自電話機の着信に応答できない場合には設定したＩＰ電話機へ転送することができる。
【発明を実施するための最良の形態】
【００２３】
（実施形態１）
図１は本発明の実施形態１に係るＩＰ電話機のブロック構成を示す図である。
【００２４】
ＩＰ電話機１０は、ＳＩＰサーバからの発着信制御パケットデータやＷＡＮ側からの音声パケットデータを受信し、制御回路１１へ送信するＬＡＮ回路１２と、制御回路１１から受信した音声パケットデータのデジタル音声信号をＤ／Ａ変換によりアナログ信号としてスピーカ１７に出力し、また、マイク１８から入力したアナログ信号をＡ／Ｄ変換により制御回路１１にデジタル信号として送信するＣＯＤＥＣ回路１６と、ＣＯＤＥＣ回路１６からのアナログ信号を出力するスピーカ１７と、アナログ信号をＣＯＤＥＣ回路１６へ入力するマイク１８と、ＤＳＰの音声処理プログラムによりＤＴＭＦ信号（プッシュダイヤル信号）を生成するＤＴＭＦセンダ１５と、ＣＯＤＥＣ回路１６を経由して受信したデジタルの音声データをデジタルのバンドパスフィルタにかけてＤＴＭＦ信号のみを抽出し、その受信レベルを測定し、受信したＤＴＭＦデータとＤＴＭＦ受信レベルを制御回路１１へ供給するＤＴＭＦレシーバ１９と、自分のＩＰアドレスおよび受信したＤＴＭＦデータ、ＤＴＭＦ受信レベルを記憶しておくメモリ１３と、発振子とカウンタ回路で構成され、現在の時刻を通知可能な時計回路１４と、ＬＡＮ回路１２、ＣＯＤＥＣ回路１６、ＤＴＭＦセンダ１５、ＤＴＭＦレシーバ１９、メモリ１３、および時計回路１４を制御する制御回路１１とを有して構成される。
【００２５】
制御回路１１、メモリ１３、時計回路１４、ＤＴＭＦセンダ１５、ＣＯＤＥＣ回路１６およびスピーカ１７で、自電話機のＩＰアドレスを参照して設定される時刻に、自電話機のＩＰアドレスに対応した所定レベルの可聴音信号を送出する可聴音信号送出手段を構成している。また、マイク１８、ＣＯＤＥＣ回路１６、ＤＴＭＦレシーバ１９、メモリ１３および制御回路１１で、他の複数のＩＰ電話機からそれぞれ異なる時刻に送出される他のＩＰ電話機のＩＰアドレスに対応した可聴音信号を受信し、他のＩＰ電話機のＩＰアドレスとその受信レベルを対応付けて記憶する可聴音信号受信手段を構成している。さらに、制御回路１１とメモリ１３とで、受信レベルが最大のＩＰアドレスを転送先ＩＰアドレスとして設定する転送先アドレス設定手段を構成し、制御回路１１とＬＡＮ回路１２とで、着信に応答できない場合に転送先ＩＰアドレスへ着信を転送する着信転送手段を構成している。
【００２６】
図２は実施形態１に係るＩＰ電話機の動作を説明する図である。
【００２７】
まず、転送先を自動的に設定するためのトレーニングモードについて説明する。ＩＰ電話機１０，２０，３０の制御回路１１は、時計回路１４から時刻データを定期的に読み出し、読み出した時刻データが予め設定しておいた時刻と同じ場合、トレーニングモードを開始する。このトレーニングモードでは、自電話機のＩＰアドレスの送信および他電話機のＩＰアドレスの受信がなされ、受信レベルが最大のＩＰアドレスが転送先ＩＰアドレスとして設定される。
【００２８】
各ＩＰ電話機１０，２０，３０は、それぞれ異なる時刻にＩＰアドレスの送出を行う。具体的には、予め設定した時刻からＩＰアドレスの下位アドレスに対応する時間が経過した時刻にＩＰアドレスの送出を行う。例えば、ＩＰアドレスが「１９２．１６８．０．１１」の場合、設定した時刻から２２０秒（２０秒×１１アドレス）遅らせてＩＰアドレスの送出を行う。
【００２９】
制御回路１１は、ＤＴＭＦセンダ１５に自分のＩＰアドレスに対応したＤＴＭＦデータを書き込む。例えば、ＩＰアドレスが「１９２．１６８．０．１１」の場合、ＤＴＭＦデータとして「１９２＊１６８＊０＊１１＊」を書き込む。ＤＴＭＦセンダ１５は、書き込まれたＤＴＭＦデータをある一定の大きさのデジタルのＤＴＭＦ信号としてＣＯＤＥＣ回路１６へ供給する。ＣＯＤＥＣ回路１６は、デジタルのＤＴＭＦ信号をある一定の大きさのアナログ信号にＤ／Ａ変換し、スピーカ１７に出力する。これにより、スピーカ１７からＤＴＭＦ信号音が出力される。
【００３０】
例えばＩＰ電話機１０がＤＴＭＦ信号音を出力している場合、他のＩＰ電話機２０，３０は、ＩＰ電話機１０から出力されたＤＴＭＦ信号音をマイク１８で受信する。ＣＯＤＥＣ回路１６は、マイク１８から供給されるアナログのＤＴＭＦ信号をデジタル信号にＡ／Ｄ変換し、ＤＴＭＦレシーバ１９へ供給する。ＤＴＭＦレシーバ１９は、受信したデジタルの音声データをデジタルのバンドパスフィルタにかけてＤＴＭＦ信号のみ抽出し、そのＤＴＭＦデータとＤＴＭＦ受信レベルを測定して制御回路１１へ供給する。制御回路１１は、ＤＴＭＦデータをＩＰアドレスデータへ変換するとともに、ＩＰアドレスとそのＩＰアドレスに対応するＤＴＭＦ受信レベルとをメモリ１３に記憶しておく。
【００３１】
ＩＰアドレスの一番下位のアドレスが２５５に対応する時間（例えば２０秒×２５５アドレス）が経過した場合、制御回路１１は全てのＩＰ電話機の送信が完了したと判断し、ＤＴＭＦ受信レベルが一番大きいＩＰアドレスの電話機を自電話機から一番距離が近いと判定し、そのＩＰアドレスを転送先ＩＰアドレスとしてメモリに記憶させる。以上がトレーニングモードの動作説明である。
【００３２】
次に、実際に使用した時の動作を説明する。今、ＷＡＮ側からＳＩＰサーバ１経由でＩＰ電話機１０に着信要求を行なう。ＩＰ電話機１０の制御回路１１は、ＬＡＮ回路１２を経由して着信要求パケットデータを受信する。不在等で着信に応答がなされない場合、ＩＰ電話機１０の着信状態が続く。制御回路１１は、メモリ１３に設定されている時間を経過しても着信を受け付けない場合、メモリ１３からトレーニングモードで設定した転送先ＩＰアドレス（一番距離が近いＩＰ電話機のＩＰアドレス）を読み出し、ＬＡＮ回路１２を経由して一番近いＩＰ電話機に転送要求パケットデータを送信することで、転送が可能になる。
【００３３】
（実施形態２）
図３は本発明の実施形態２に係るＩＰ電話機のブロック構成を示す図である。ＩＰ電話機４０は、制御回路４１と、ＬＡＮ回路４２と、メモリ４３と、時計回路４４と、無線送信回路４５と、無線受信回路４６とを有する。
【００３４】
制御回路４１は、予め設定した時刻から自電話機のＩＰアドレスに対応する時間が経過した時点で、自電話機のＩＰアドレスデータを無線送信回路４５へ供給する。無線送信回路４５は、ＩＰアドレスデータが供給されると、所定レベルの無線信号によってＩＰアドレスデータを送信する。無線信号としては、無線ＬＡＮまたはＢｌｕｅｔｏｏｔｈ等の信号を用いる。無線受信回路４６は、他のＩＰ電話機の無線送信回路４５によって送信された無線信号を受信し、他のＩＰ電話機のＩＰアドレスデータを検出するとともに、その無線受信レベルを測定し、他のＩＰ電話機のＩＰアドレスデータと無線受信レベルを制御回路４１へ供給する。制御回路４１は、無線受信回路４６から供給された他のＩＰ電話機のＩＰアドレスデータと無線受信レベルとを対応付けてメモリ４３に記憶させる。制御回路４１は、無線受信レベルが最大のＩＰアドレスを転送先ＩＰアドレスとして設定し、着信に応答できない場合に設定した転送先ＩＰアドレスに転送する。
【００３５】
制御回路４１と時計回路４４と無線送信回路４５とで、自電話機のＩＰアドレスを参照して設定される時刻に、自電話機のＩＰアドレスに対応した所定レベルの無線信号を送信する無線信号送信手段を構成している。また、無線受信回路４６と制御回路４１とメモリ４３とで、他の複数のＩＰ電話機からそれぞれ異なる時刻に送信される他のＩＰ電話機のＩＰアドレスに対応した無線信号を受信し、他のＩＰ電話機のＩＰアドレスとその受信レベルを対応付けて記憶する無線信号受信手段を構成している。また、制御回路４１とメモリ４３とで、受信レベルが最大のＩＰアドレスを転送先ＩＰアドレスとして設定する転送先アドレス設定手段を構成している。さらに、制御回路４１とＬＡＮ回路４２とで、着信に応答できない場合に転送先ＩＰアドレスへ着信を転送する着信転送手段を構成している。
【００３６】
図４は実施形態２に係るＩＰ電話機の動作を説明する図である。まず、転送先を自動的に設定するためのトレーニングモードについて説明する。ＩＰ電話機４０，５０，６０の制御回路４１は、時計回路４４から時刻データを定期的に読み出し、読み出した時刻データが予め設定しておいた時刻と同じ場合、トレーニングモードを開始する。このトレーニングモードでは、自電話機のＩＰアドレスの送信および他電話機のＩＰアドレスの受信がなされ、受信レベルが最大のＩＰアドレスが転送先ＩＰアドレスとして設定される。
【００３７】
各ＩＰ電話機４０，５０，６０は、それぞれ異なる時刻にＩＰアドレスの無線送信を行う。具体的には、予め設定した時刻からＩＰアドレスの下位アドレスに対応する時間が経過した時刻にＩＰアドレスの無線送信を行う。例えば、ＩＰアドレスが「１９２．１６８．０．１１」の場合、設定した時刻から２２０秒（２０秒×１１アドレス）遅らせてＩＰアドレスの無線送信を行う。
【００３８】
例えばＩＰ電話機４０がＩＰアドレスの無線送信を行なっている場合、他のＩＰ電話機５０，６０は、無線受信回路４６によってＩＰ電話機４０から無線送信されたＩＰアドレスを受信するとともに、その無線受信レベルを測定する。制御回路４１は、受信したＩＰアドレスおよびその無線受信レベルをメモリ４３に記憶させる。
【００３９】
ＩＰアドレスの一番下位のアドレスが２５５に対応する時間（例えば２０秒×２５５アドレス）が経過した場合、制御回路４１は全てのＩＰ電話機の送信が完了したと判断し、無線受信レベルが一番大きいＩＰアドレスの電話機を自電話機から一番距離が近いと判定し、そのＩＰアドレスを転送先ＩＰアドレスとしてメモリに記憶させる。以上がトレーニングモードの動作説明である。
【００４０】
次に、実際に使用した時の動作を説明する。今、ＷＡＮ側からＳＩＰサーバ１経由でＩＰ電話機４０に着信要求を行なう。ＩＰ電話機４０の制御回路４１は、ＬＡＮ回路４２を経由して着信要求パケットデータを受信する。不在等で着信に応答がなされない場合、ＩＰ電話機４０の着信状態が続く。制御回路４１は、メモリ４３に設定されている時間を経過しても着信を受け付けない場合、メモリ４３からトレーニングモードで設定した転送先ＩＰアドレス（一番距離が近いＩＰ電話機のＩＰアドレス）を読み出し、ＬＡＮ回路４２を経由して一番近いＩＰ電話機に転送要求パケットデータを送信することで、転送が可能になる。
【００４１】
実施形態１では、ＩＰアドレスの送受信に可聴音（ＤＴＭＦ信号音）を用いるために騒音となるが、実施形態２ではＩＰアドレスの送受信に無線信号を用いるため騒音を発することはない。
【産業上の利用可能性】
【００４２】
本発明によれば、自電話機に一番近いＩＰ電話機を転送先として設定し、自電話機の着信に応答できない場合には設定したＩＰ電話機へ転送することができるという効果を有し、転送機能を有するＩＰ電話機に有用である。
【図面の簡単な説明】
【００４３】
【図１】本発明の実施形態１に係るＩＰ電話機のブロック構成を示す図である。
【図２】本発明の実施形態１に係るＩＰ電話機の動作を説明する図である。
【図３】本発明の実施形態２に係るＩＰ電話機のブロック構成を示す図である。
【図４】本発明の実施形態２に係るＩＰ電話機の動作を説明する図である。
【図５】従来のボタン電話装置の構成示す図である。
【符号の説明】
【００４４】
１０，２０，３０，４０，５０，６０  ＩＰ電話機
１１，４１  制御回路
１２，４２  ＬＡＮ回路
１３，４３  メモリ
１４，４４  時計回路
１５  ＤＴＭＦセンダ
１６  ＣＯＤＥＣ回路
１７  スピーカ
１８  マイク
１９  ＤＴＭＦレシーバ
４５  無線送信回路
４６  無線受信回路
【図１】
2006245819.tif 000003
【図２】
2006245819.tif 000004
【図３】
2006245819.tif 000005
【図４】
2006245819.tif 000006
【図５】
2006245819.tif 000007